(57)【要約】【課題】二本のハーネスをカバーに簡単確実に収容固定させる。【解決手段】電気接続箱のカバー１に二本のハーネス５，６を固定させるための固定部３，４を設け、一方の固定部３をカバーのハーネス導出方向外側に位置させ、他方の固定部４をカバーの壁部２に位置させた。カバー１に可撓性の連結部１０を延長形成し、連結部に続いてハーネス５に対する保持主体部１４を設けた。保持主体部１４にハーネス５を長手方向スライド可能に保持した。保持主体部１４の内側にハーネス保持用の突部を設けた。突部をハーネス外周のコルゲートチューブの周溝に係合させ、コルゲートチューブ長手方向に移動可能とした。保持主体部１４をハーネス支持部１１とハーネス収容部１２とで開閉可能に構成した。保持主体部１４で一方の固定部３を構成した。他方の固定部４を、他方のハーネス６に固定された係止クリップ７に対する係合孔とした。【選択図】      図１
2004350341.tif 000002
【特許請求の範囲】
【請求項１】
電気接続箱のカバーに二本のハーネスを固定させるための固定部がそれぞれ設けられ、一方の固定部が該カバーのハーネス導出方向外側に位置し、他方の固定部が該カバーの壁部に位置したことを特徴とする電気接続箱のハーネス固定構造。
【請求項２】
電気接続箱のカバーに可撓性の連結部が延長形成され、該連結部に続いてハーネスに対する保持主体部が設けられたことを特徴とする電気接続箱のハーネス固定構造。
【請求項３】
前記保持主体部に前記ハーネスが長手方向スライド可能に保持されたことを特徴とする請求項２記載の電気接続箱のハーネス固定構造。
【請求項４】
前記保持主体部の内側にハーネス保持用の突部が設けられたことを特徴とする請求項２又は３記載の電気接続箱のハーネス固定構造。
【請求項５】
前記突部が前記ハーネス外周のコルゲートチューブの周溝に係合し、コルゲートチューブ長手方向に移動可能であることを特徴とする請求項４記載の電気接続箱のハーネス固定構造。
【請求項６】
前記保持主体部がハーネス支持部とハーネス収容部とで開閉可能に構成されたことを特徴とする請求項２〜５の何れか１項に記載の電気接続箱のハーネス固定構造。
【請求項７】
前記保持主体部が請求項１記載の一方の固定部を構成することを特徴とする請求項２〜６の何れか１項に記載の電気接続箱のハーネス固定構造。
【請求項８】
前記他方の固定部が、他方のハーネスに固定された係止クリップに対する係合孔であることを特徴とする請求項１又は７記載の電気接続箱のハーネス固定構造。
【請求項９】
二本のハーネスを固定させるための固定部をそれぞれ有し、一方の固定部がハーネス導出方向外側に位置し、他方の固定部がカバー壁部に位置し、該カバー壁部に可撓性の連結部が延長形成され、該連結部に続いてハーネスに対する保持主体部が設けられて該一方の固定部が構成されたことを特徴とするコネクタカバー。
【請求項１０】
請求項９記載のコネクタカバーを備えたことを特徴とする電気接続箱。
【発明の詳細な説明】
【０００１】
【発明の属する技術分野】
本発明は、電気接続箱から外部に導出させるワイヤハーネスを電気接続箱のカバーに固定させる電気接続箱のハーネス固定構造及びコネクタカバーとそれを備えた電気接続箱に関するものである。
【０００２】
【従来の技術】
図７〜図８は従来の電気接続箱のハーネス固定構造の一形態を示すものである（例えば特許文献１参照）。
【０００３】
この構造は、電気接続箱のコネクタ接続部を覆うコネクタカバー５２を備え、コネクタカバー５２にワイヤハーネス幹線部５３を固定する樋状の固定部５５を設け、固定部５５に係止クリップ５６を設け、コネクタ５７から導出されたワイヤハーネス枝線部５４をコネクタ５７と共にコネクタカバー５２で覆い、固定部５５にハーネス幹線部５３をテープやバンドで固定し、係止クリップ５６を車両ボディ等の組付側５８（図８）に係止させるものである。
【０００４】
図８の如く係止クリップ５６は、基板５９から突設された支柱６０と、支柱６０の先端に設けられた一対の可撓性の係止爪６１とで構成され、各係止爪６１は内向きに撓み可能である。各係止爪６１が組付側の孔部６２に挿入され、各係止爪６１の先端部が孔部６２の周縁に当接することで、ハーネス幹線部５３がコネクタカバー５２と共に組付側５８に固定される。
【０００５】
コネクタ５７は接続箱本体５１のコネクタ（図示せず）に嵌合接続されており、例えばコネクタ５７内には複数の雌端子が収容され、各雌端子が各電線に圧着接続され、各電線がハーネス枝線部５４を構成している。
【０００６】
接続箱本体５１のコネクタ（図示せず）には雄端子が収容されており、両コネクタの嵌合により、雄・雌両端子が接続され、ハーネス枝線部５４と接続箱本体側の例えばヒューズやリレー等の電気部品や回路基板や電子ユニット等が接続される。ハーネス枝線部５４はハーネス幹線部５３と一体的にテープ巻きで固定されている。コネクタカバー５２は突起６３と孔部６４といった係止手段で接続箱本体５１に固定される。接続箱本体５１とコネクタカバー５２とで電気接続箱が構成される。
【０００７】
【特許文献１】
実開昭６３−１０９２４５号公報（第１〜２図）
【０００８】
【発明が解決しようとする課題】
しかしながら、上記従来の構造にあっては、コネクタカバー５２にハーネス幹線部５３は固定されるもののハーネス枝線部５４を固定する手段がなく、すなわちハーネス幹線部５３とハーネス枝線部５４という二本のハーネスあるいは二本のハーネス枝線部５４という二本のハーネスを固定する手段がなく、ハーネス枝線部５４が安定せず、車両走行中等の異音や摩耗等を起こしかねないという問題があった。また、コネクタカバー５２を接続箱本体５１に被せ付ける際に、ハーネス枝線部５４を噛み込みやすいという問題があった。また、ハーネス枝線部５４が太い場合（電線本数が多い場合）に、コネクタカバー５２内でハーネス枝線部５４が膨らんで、コネクタカバー５２と接続箱本体５１との係止が不意に解除され易いという問題があった。また、ハーネス幹線部５３とコネクタカバー５２との固定にテープ巻きやバンド締めといった面倒な作業を必要とし、多くの組付工数がかかるという問題があった。
【０００９】
本発明は、上記した点に鑑み、二本のハーネスをカバーに確実に且つ作業性良く固定することができ、しかも、カバー内にハーネスを効率的に収容できて、カバー閉止時の電線の噛み込みを防ぎ、カバーの不意な開きを防止できる電気接続箱のハーネス固定構造及びコネクタカバーとそれを備えた電気接続箱を提供することを目的とする。
【００１０】
【課題を解決するための手段】
上記目的を達成するために、本発明の請求項１に係る電気接続箱のハーネス固定構造は、電気接続箱のカバーに二本のハーネスを固定させるための固定部がそれぞれ設けられ、一方の固定部が該カバーのハーネス導出方向外側に位置し、他方の固定部が該カバーの壁部に位置したことを特徴とする。
上記構成により、カバーのハーネス導出方向外側において一方の固定部に一方のハーネスが固定され、カバーの例えば内側から他方の固定部に他方のハーネスが固定される。ハーネスの固定順はどちらが先でもよいが、カバーの外側で一方のハーネスを先に固定する方が作業性が良い。カバーの外側と内側とで各ハーネスを別々に固定することで、ハーネスの組付・固定作業性が向上する。各ハーネスはカバー内で収容保護される。
【００１１】
請求項２に係る電気接続箱のハーネス固定構造は、電気接続箱のカバーに可撓性の連結部が延長形成され、該連結部に続いてハーネスに対する保持主体部が設けられたことを特徴とする。
上記構成により、保持主体部にハーネスが固定され、保持主体部は連結部を介してカバーに続き、ハーネスはカバー内に導入される（カバーからハーネスが導出される）。保持主体部はハーネスに対して可撓性の連結部の長さの範囲内で固定位置を任意に設定可能である。また、連結部が屈曲ないし伸縮自在であるから、保持主体部へのハーネスの固定作業が容易で、且つカバーを電気接続箱に組み付ける前にハーネスをカバーに固定することができる。
【００１２】
請求項３に係る電気接続箱のハーネス固定構造は、請求項２記載の電気接続箱のハーネス固定構造において、前記保持主体部に前記ハーネスが長手方向スライド可能に保持されたことを特徴とする。
上記構成により、ハーネスが保持主体部に対してスライド可能であると共に、保持主体部がハーネスに対して前記連結部の長さの範囲でスライド可能に係合している。ここでスライド可能とは、ある程度の力（ハーネス長手方向の引張力や押圧力）をかけた時にスライドするという意味である。保持主体部に対してハーネスの保持位置を調整することで、カバー内へのハーネスの収容長さやカバーからのハーネスの導出長さ等を調整でき、また、ハーネスに対して保持主体部の位置を調整することで、例えばハーネスに続くコネクタ側の小径な電線導出部分（段差部分）に保持主体部が係合しないようにすることができる。
【００１３】
請求項４に係る電気接続箱のハーネス固定構造は、請求項２又は３記載の電気接続箱のハーネス固定構造において、前記保持主体部の内側にハーネス保持用の突部が設けられたことを特徴とする。
上記構成により、突部がハーネスの外周に押接又は係合し、ハーネスを保持主体部内に確実に保持させる。突部は周上に複数設けることが好ましい。
【００１４】
請求項５に係る電気接続箱のハーネス固定構造は、請求項４記載の電気接続箱のハーネス固定構造において、前記突部が前記ハーネス外周のコルゲートチューブの周溝に係合し、コルゲートチューブ長手方向に移動可能であることを特徴とする。
上記構成により、ハーネス（コルゲートチューブ）を長手方向に引っ張ったり、保持主体部を連結部の長さの範囲で押圧又は引っ張ることで、突部がコルゲートチューブの周溝に係合しつつ周溝間の凸条を乗り越してチューブ長手方向に節度をもって移動し、所望の位置で突部を周溝に係止させることができる。
【００１５】
請求項６に係る電気接続箱のハーネス固定構造は、請求項２〜５の何れか１項に記載の電気接続箱のハーネス固定構造において、前記保持主体部がハーネス支持部とハーネス収容部とで開閉可能に構成されたことを特徴とする。
上記構成により、例えばハーネスをハーネス収容部内に挿入し、ハーネス収容部を回動させてハーネス支持部に合体（接合）させる、あるいはハーネスをハーネス支持部で支持させ、ハーネス収容部を回動させてハーネス支持部に合体させることで、ハーネスの保持を作業性良く容易に行うことができる。前記突部はハーネス収容部内に設けることが好ましい。ハーネス支持部を連結部でカバーに連結させることが好ましい。
【００１６】
請求項７に係る電気接続箱のハーネス固定構造は、請求項２〜６の何れか１項に記載の電気接続箱のハーネス固定構造において、前記保持主体部が請求項１記載の一方の固定部を構成することを特徴とする。
上記構成により、一方のハーネスが他方のハーネスとは別にカバーの外側の保持主体部で作業性良く容易に且つ確実に固定される。両ハーネスは例えば並列に省スペースでカバー内に収容される。
【００１７】
請求項８に係る電気接続箱のハーネス固定構造は、請求項１又は７記載の電気接続箱のハーネス固定構造において、前記他方の固定部が、他方のハーネスに固定された係止クリップに対する係合孔であることを特徴とする。
上記構成により、他方のハーネスが一方のハーネスとは別に例えばカバーの内側からカバーの壁部に固定される。係止クリップは可撓性の係止爪を有するもので、係止爪が係合孔に挿入係止される。両ハーネスはカバー内に例えば並列に収容される。
【００１８】
請求項９に係るコネクタカバーは、二本のハーネスを固定させるための固定部をそれぞれ有し、一方の固定部がハーネス導出方向外側に位置し、他方の固定部がカバー壁部に位置し、該カバー壁部に可撓性の連結部が延長形成され、該連結部に続いてハーネスに対する保持主体部が設けられて該一方の固定部が構成されたことを特徴とする。
上記構成により、コネクタカバーのハーネス導出方向外側において一方の固定部に一方のハーネスが固定され、コネクタカバーの例えば内側から他方の固定部に他方のハーネスが固定される。ハーネスの固定順はどちらが先でもよいが、コネクタカバーの外側で一方のハーネスを先に固定する方が作業性が良い。コネクタカバーの外側と内側とで各ハーネスを別々に固定することで、ハーネスの組付・固定作業性が向上する。各ハーネスはコネクタカバー内で収容保護される。また、保持主体部にハーネスが固定され、保持主体部は連結部を介してコネクタカバーに続き、ハーネスはコネクタカバー内に導入される（コネクタカバーからハーネスが導出される）。保持主体部はハーネスに対して可撓性の連結部の長さの範囲内で固定位置を任意に設定可能である。また、連結部が屈曲ないし伸縮自在であるから、保持主体部へのハーネスの固定作業が容易で、且つコネクタカバーを電気接続箱に組み付ける前にハーネスをコネクタカバーに固定することができる。
【００１９】
請求項１０に係る電気接続箱は、請求項９記載のコネクタカバーを備えたことを特徴とする。
上記構成により、例えば二本のハーネスをコネクタカバーに固定した後、コネクタカバーが接続箱本体に装着される。あるいは一本のハーネスをコネクタカバーの他方の固定部に固定した後、コネクタカバーを接続箱本体に装着固定し、次いでカバーから導出された二本目のハーネスを一方の固定部に固定することも可能である。このように、コネクタカバーへのハーネスの固定作業は電気接続箱の組立形態に応じて適宜設定可能である。一方及び／又は他方のハーネスはコネクタカバーの内側で接続箱本体側の複数のコネクタにコネクタ接続されている。
【００２０】
【発明の実施の形態】
以下に本発明の実施の形態を図面に基づいて詳細に説明する。
図１〜図３は、本発明に係る電気接続箱のハーネス固定構造の一実施形態を示すものである。
【００２１】
各図においては合成樹脂製のコネクタカバー（カバー）１のみを図示しており、リレーやヒューズ等の電気部品や回路基板や電子ユニット等を搭載する接続箱本体は図示を省略している。
【００２２】
このコネクタカバー１は断面略半円状ないし略円弧状を呈して、中間部が略樋状に形成され、長手方向両端部がテーパ状に傾斜して漸次高さを低められており、一端部側の傾斜壁（壁部又はカバー壁部）２に続いてハーネス保持部材（一方の固定部）３が一体に設けられ、一端部側の傾斜壁２にはクリップ係合孔（他方の固定部）４が設けられ、ハーネス保持部材３に太目の一方のハーネス５が保持され、クリップ係合孔４に、細目の他方のハーネス６を固定した係止クリップ７が係合される。
【００２３】
コネクタカバー１の内面と外面には補強用のリブ８が周方向に複数並列に設けられ、リブ８でコネクタカバー１の剛性がアップし、変形による接続箱本体（図示せず）からの外れ等が防止されている。
【００２４】
コネクタカバー１は接続箱本体に係止手段９で係止され、接続箱本体側の複数のコネクタ（図示せず）がコネクタカバー１で覆われ、各コネクタからの複数の導出電線が二本のハーネス５，６としてコネクタカバー１の内側に収容されつつ、コネクタカバー１の一端部側から外部に導出され、導出側において前述の如く一方のハーネス５がハーネス保持部材３で固定され、他方のハーネス６がクリップ係合孔４で固定される。例えば両ハーネス５，６でワイヤハーネスが構成される。
【００２５】
ハーネス保持部材３は、カバー１の傾斜壁２に一体に続く可撓性の薄肉の連結片（連結部）１０と、連結片１０の先端に直交して続く略板状のハーネス支持部１１と、支持部１１に薄肉のヒンジ１３を介して一体に且つ開閉自在に続く略Ｕ字状に湾曲したハーネス収容部１２とで構成されている。支持部１１と収容部１２とで保持主体部１４（図４）が構成される。
【００２６】
可撓性の連結片１０はコネクタカバー１の幅の略１／４程度の幅で形成され、その長さはコネクタカバー１の傾斜壁２の長さと同程度であり、その厚さはコネクタカバー１の厚さの半分ないしそれ以下であり、傾斜壁２側の付け根１０ａ及び長手方向中間部から屈曲自在である。
【００２７】
ハーネス保持部材３（保持主体部１４）の詳細を図４〜図６に示す。
ハーネス支持部１１は、基板部１５の中央に膨出された略矩形状で且つ円弧状に湾曲したハーネス支持壁１６を有し、ハーネス支持壁１６に隣接して基板部１５から立設されたハーネス支持片１７を有し、ハーネス支持片１７の外側に隣接対向して可撓性の係止枠片１８を有し、薄肉ヒンジ１９側の基端部に、ハーネス収容部１２に対する位置決め突条２０を有している。
【００２８】
ハーネス支持片１７はハーネス支持壁１６よりも高く突出し、一方のハーネス５の外周面にハーネス支持壁１６と共に接してハーネス５を安定に支持する。ハーネス支持片１７と係止枠片１８との間（隙間）２１にハーネス収容部１２の壁部２２の回動先端側の部分２２ａが進入する。位置決め突条２０はハーネス収容部１２の壁部２２の基端側の部分２２ｂの内面に接して、ハーネス支持部１１をハーネス収容部１２に安定に位置決めさせる。図４においては説明の便宜上、一方のハーネス５を二箇所に図示しているが、実際は一本である。
【００２９】
ハーネス収容部１２の略Ｕ字状の壁部２２は、半円形の湾曲部２２ｃと、湾曲部２２ｃの両側に続く真直な部分２２ａ，２２ｂとで構成されている。真直な部分２２ａに係止枠片１８に対する係合突起２９が設けられ、係合突起２９の前後両側に位置決め兼保護用のリブ３０が突設されている。
【００３０】
また、湾曲部２２ｃの内面に、ハーネス外周のコルゲートチューブ２３（図６）の周溝２４に係合する突部２６が一体に設けられている。突部２６は本例で半円周上の三箇所に等配に設けられ、コルゲートチューブ２３を少なくとも長手方向に不動に固定する。
【００３１】
図６の如く、突部２６の外径は周溝２４の内幅よりも小さく設定されている。また、コルゲートチューブ２３の外周の一端がハーネス支持部１１に接した際に、コルゲートチューブ２３の外周の他端はハーネス収容部１２の壁部２２ｃとの間に隙間２７を存して位置し、その状態で突部２６の先端が周溝２４の底面との間に隙間２８を存して位置する。この構造により、コルゲートチューブ２３を周方向回動自在に保持する（コルゲートチューブ２３の捩れを吸収させる）ことも可能である。
【００３２】
また、突部２６の先端は略半球状ないし略円弧状に形成され、コルゲートチューブ２３の周溝２４に浅く係合していることと相俟って、周溝２４に隣接する突条２５に比較的小さな引っ掛かり力（係止力）で係合している。この構造により、ハーネス５を長手方向にやや強く引っ張ることで、あるいはハーネス保持部材３を連結片１０の長さ（撓みストローク）の範囲でハーネス長手方向に押すないし引くことで、ハーネス保持部材３がコルゲートチューブ２３に沿ってスライド式に移動して、ハーネス５に対するハーネス保持部材３の位置をハーネス長手方向に自在に調整可能である。この際、突部２６はラチェット式に節度をもって各周溝２４に係合しつつ各周溝２４間をハーネス長手方向に移動する。
【００３３】
例えば突部２６がない場合は、コルゲートチューブ２３がハーネス保持部材３に沿って長手方向に移動し、コルゲートチューブ先端と先端開口から導出された電線（コネクタ側の電線）とのなす段差に保持主体部１４が落ち込んで戻らなくなるという問題を生じることもある。突部２６はこの問題を解消するストッパとしての機能を有する。突部２６は、ハーネス保持部材３すなわちコネクタカバー１がコルゲートチューブ２３から容易に外れないようにするために有効なものである。
【００３４】
図１の如く第一のハーネス５はコネクタカバー１の傾斜壁２に沿って外部へ導出され、ハーネス保持部材３の連結片１０の下側（接続箱本体側）に位置する。略Ｕ字状のハーネス収容部１２はヒンジ１３を支点に矢印Ｃの如く下向きに回動され、内部にハーネス５を収容しつつハーネス支持台１１に合体する。これにより、図４の如くハーネス５が保持主体部１４内に保持される。
【００３５】
ハーネス５はコネクタカバー１に収容したり、接続箱本体にコネクタ接続したりする前にハーネス保持部材３で保持させ、次いでコネクタカバー１内に収容させたり、コネクタ接続させることができる。この方がハーネス５の組付作業性が良好である。
【００３６】
ハーネス保持部材３にハーネス５を保持させた状態で、ハーネス５をやや強く引くことで、コネクタカバー１内へのハーネス５の収容長さや接続箱本体に対するコネクタカバー１の位置を調整することができる。これにより、ハーネス５をハーネス保持部材３に密着させて完全に固定する場合に較べて、ハーネス５の収容作業性やコネクタカバー１の組付作業性等が向上する。
【００３７】
図３の如くコネクタカバー１内に第一のハーネス５と並列に第二のハーネス６が収容され、第二のハーネス６は係止クリップ７で傾斜壁２にカバー内側から固定される。係止クリップ７は従来の技術の図８で示したのと基本的に同じものであり、基板３１と支柱３２と一対の可撓性の係止爪３３とで構成され、基板３１にハーネス６がテープ巻きやバンド等３４で予め固定されている。
【００３８】
傾斜壁２にはクリップ係合孔４が傾斜方向に長く（長孔状に）形成され、係止クリップ７の係合位置を係合孔４の長さの範囲内で調整可能である。一対の係止爪３３は係合孔４の横断方向に位置し、各係止爪３３の先端部（正確には先端側の段部）が係合孔４の外縁に係合する（図１では説明の便宜上、係止爪３３の向きを９０゜反転して図示している）。
【００３９】
第一と第二のハーネス５，６は各コネクタ（図示せず）から導出されたものでもよく、あるいは第一のハーネス５が各コネクタから導出され、第二のハーネス６がコネクタ以外に接続箱本体側から導出されたものであってもよく、あるいは外部から単に電気接続箱を通って配索されたもの等であってもよい。
【００４０】
何れにしろ両ハーネス５，６は図３の如く略樋状のコネクタカバー１内に並列に無駄な隙間なく省スペースで効率良く収容され、且つハーネス保持部材３とクリップ係合孔４とでカバー１に作業性良く且つ確実に固定される。
【００４１】
なお、上記実施形態においてはコネクタカバー１に各固定部３，４を設けた例を示したが、各固定部３，４はコネクタカバー１に限らず、電気接続箱のロアカバーやアッパカバー等、ハーネスを導出させる側のカバーであれば何に設けてもよい。ハーネス５，６の導出方向もカバー１の短辺部に限らず長辺部すなわち図２のコネクタカバー１の長手直交方向（幅方向）の壁部３６からであってもよい。
【００４２】
また、第一と第二の各ハーネス５，６を別々の部位から導出させる（すなわちハーネス保持部材３とクリップ係合孔４とを図２のように近くではなく遠く離間させて配設する）ことも可能である。また、カバー１にハーネス保持部材３のみ又はクリップ係合孔４のみを設けることも可能である。
【００４３】
また、ハーネス保持部材３の可撓性の連結片１１０を第一ハーネス５にテープ巻きやバンド等で固定させることで、コネクタカバー１の一端部を接続箱本体に対して固定させることも可能である。図２の実施形態においてはコネクタカバー１の他端部にのみ接続箱本体に対する係止手段９が設けられているから、この構成はコネクタカバー１の構造の簡素化・低コスト化の面で有効である。
【００４４】
また、ハーネス保持部材３内に保持用の突部２６を設けない構造においては、第一のハーネス５はコルゲートチューブ２３以外の保護チューブあるいはテープ巻きを備えたものであってもよい。この場合、ハーネス５の外周面にハーネス収容部１２や支持部１１の内面を強く密着させてハーネス５を位置ずれなく固定させる。突部２６をハーネス５の保護チューブの外周面に押接ないし食い込ませてハーネス５を固定してもよい。
【００４５】
また、第二のハーネス６に装着した係止クリップ７をカバー１の内側ではなく外側からカバー１の孔部４に係合させるようにしてもよい。例えば、係止クリップ７の基板３１をカバー１の外側でハーネス６に固定させ、基板３１の延長部（図示せず）に支柱３２と可撓性の係止爪３３を突設し、延長部をカバー１の傾斜壁２の外面に沿って配置することで、ハーネス６をカバー１の内側に配索し、且つカバー１の外側から係止クリップ７を係合させることができる。但し係止クリップ７の構造が複雑化することは否めない。
【００４６】
また、連結片１０に代えて可撓性の断面円形ないし矩形状の紐状あるいは蛇腹状の連結部を設けることも可能である。また、ハーネス支持部１１ではなくハーネス収容部１２を連結片１０でカバー１に連結させ、ハーネス収容部１２にハーネス５を径方向に挿入した後、ハーネス支持部１１を閉止してハーネス収容部１２に合体係止させることも可能である。
【００４７】
【発明の効果】
以上の如く、請求項１記載の発明によれば、二本のハーネスをそれぞれカバーに固定し、且つカバー内に収容することで、カバーを電気接続箱に組み付ける際のハーネスの噛み込みが防止され、組付後はハーネスがカバーを押し上げることがなく、カバーの不意な外れが防止され、しかも車両走行時の異音やハーネスの摩耗等が防止され、且つ各ハーネスがカバー内で外部との干渉等なく安全に保護されて、電気接続箱による配電の信頼性が向上する。また、カバーの外側と内側とで各ハーネスを別々に固定することで、ハーネスの組付作業性が向上する。
【００４８】
請求項２記載の発明によれば、可撓性の連結部で保持主体部へのハーネスの固定作業を容易に行うことができ、しかもカバーを電気接続箱に組み付ける前にハーネスをカバーに固定することで、カバー閉止時のハーネスの噛み込みを確実に防止することができ、カバーの装着作業性とハーネスの通電の信頼性が高まる。
【００４９】
請求項３記載の発明によれば、保持主体部の位置をハーネス長手方向に調整できるから、カバー内へのハーネス収容長さや保持主体部によるハーネス固定位置を自在に設定でき、ハーネス収容過大による電気接続箱からのカバーの不意な外れや、保持主体部によるハーネスのコネクタ側の保持不適部分の保持等を防ぐことができる。
【００５０】
請求項４記載の発明によれば、突部でハーネスを保持主体部内に確実に保持させることができ、ハーネスの固定性が向上する。
請求項５記載の発明によれば、保持主体部に対してハーネスを節度をもってスライド移動させることができ（ハーネスに対して保持主体部を節度をもってスライド移動させることができ）、保持位置調整をスムーズ且つ正確に行うことができる。
【００５１】
請求項６記載の発明によれば、ハーネスを保持主体部内に容易に収容保持させることができ、ハーネスの固定及び配索作業性が向上する。
請求項７記載の発明によれば、一方のハーネスをカバーの外側で他方のハーネスの邪魔になることなく作業性良く且つ確実に固定することができる。
【００５２】
請求項８記載の発明によれば、他方のハーネスをカバーの内側から一方のハーネスに邪魔されることなくワンタッチで作業性良く且つ確実に固定することができる。また、係合孔により、他方の固定部の形成が容易化し、カバーの構造が簡素化・低コスト化される。
【００５３】
請求項９，１０記載の発明によれば、二本のハーネスをそれぞれコネクタカバーに固定し、且つコネクタカバー内に収容することで、コネクタカバーを電気接続箱に組み付ける際のハーネスの噛み込みが防止され、組付後はハーネスがコネクタカバーを押し上げることがなく、コネクタカバーの不意な外れが防止され、しかも車両走行時の異音やハーネスの摩耗等が防止され、且つ各ハーネスがコネクタカバー内で外部との干渉等なく安全に保護されて、電気接続箱による配電の信頼性が向上する。また、コネクタカバーの外側と内側とで各ハーネスを別々に固定することで、ハーネスの組付作業性が向上する。また、可撓性の連結部で保持主体部へのハーネスの固定作業を容易に行うことができ、しかもコネクタカバーを電気接続箱に組み付ける前にハーネスをコネクタカバーに固定することで、カバー閉止時のハーネスの噛み込みを確実に防止することができ、コネクタカバーの装着作業性とハーネスの通電の信頼性が高まる。
【図面の簡単な説明】
【図１】本発明に係る電気接続箱のハーネス固定構造の一実施形態を示すカバーの側面図である。
【図２】同じく電気接続箱のハーネス固定構造を示すカバーの平面図である。
【図３】図２のＡ−Ａ断面図である。
【図４】ハーネス保持部材（保持主体部）の一実施形態を示す正面図である。
【図５】同じくハーネス保持部材を示す平面図である。
【図６】保持主体部の合体状態を示す図４のＢ−Ｂ相当断面図である。
【図７】従来の電気接続箱のハーネス固定構造の一形態を示す正面図である。
【図８】同じく従来のハーネス固定構造の要部を示す斜視図である。
【符号の説明】
１      コネクタカバー（カバー）
２      傾斜壁（壁部）
３      ハーネス保持部材（一方の固定部）
４      クリップ係合孔（他方の固定部）
５，６  ハーネス
７      係止クリップ
１０    連結片（連結部）
１１    ハーネス支持部
１２    ハーネス収容部
１４    保持主体部
２３    コルゲートチューブ
２４    周溝
２６    突部
【図１】
2004350341.tif 000003
【図２】
2004350341.tif 000004
【図３】
2004350341.tif 000005
【図４】
2004350341.tif 000006
【図５】
2004350341.tif 000007
【図６】
2004350341.tif 000008
【図７】
2004350341.tif 000009
【図８】
2004350341.tif 000010